(57)【要約】【課題】  あらかじめ登録サーバに登録済みの自己が所有する一次利用端末から、他人が所有する端末の登録操作を開始し、新たに登録しようとしている端末の所有者にその端末の登録操作を引き継ぐことによって、他人が所有する二次利用端末を自己が所有する一次利用端末と関連付けて簡単に登録する。【解決手段】  コンテンツ使用権を持つ一次利用端末からの二次利用端末への使用権引継ぎ依頼を受付け後に、登録用パスワードと一次利用端末と二次利用端末の各識別子と対にして記憶する端末登録情報記憶部１３と、一次利用端末を認証して使用権引継ぎを受付け、二次利用端末からの登録用パスワード入力と端末登録情報記憶部の登録用パスワードとを照合して、使用権引継ぎを登録する二次利用端末引継通知管理部１７、とを備えた。【選択図】        図４
2006085403.tif 000002
【特許請求の範囲】
【請求項１】
コンテンツ使用権を持つ一次利用端末からの二次利用端末への該使用権引継ぎ依頼を受付け後に、登録用パスワードと上記一次利用端末と二次利用端末の各識別子と対にして記憶する端末登録情報記憶部と、
上記一次利用端末を認証して上記使用権引継ぎを受付け、上記二次利用端末からの登録用パスワード入力と上記端末登録情報記憶部の上記登録用パスワードとを照合して、上記使用権引継ぎを登録する二次利用端末引継通知管理部、とを備えたことを特徴とするコンテンツ使用権管理サーバ。
【請求項２】
二次利用端末引継通知管理部は、一次利用端末からの二次利用端末への使用権引継ぎ依頼があって後、所定時間内に上記二次利用端末から登録入力がある場合に、上記使用権引継ぎを登録するようにしたことを特徴とする請求項１記載のコンテンツ使用権管理サーバ。
【請求項３】
二次利用端末引継通知管理部は、登録用プログラムを二次利用端末にダウンロードして、該登録用プログラムにより上記二次利用端末の端末情報を収集するようにしたことを特徴とする請求項１記載のコンテンツ使用権管理サーバ。
【請求項４】
コンテンツ使用権管理サーバに二次利用端末への使用権引継ぎ依頼を行い、かつ登録用パスワードを入手して上記二次利用端末に使用権引継ぎの通知を行なうコンテンツ使用権を持つ一次利用端末と、
上記一次利用端末からの上記二次利用端末への上記使用権引継ぎ依頼を受付け後に、上記登録用パスワードと上記一次利用端末と二次利用端末の各識別子と対にして記憶する端末登録情報記憶部と、上記一次利用端末を認証して上記使用権引継ぎを受付けて上記登録用パスワードを上記記憶部に記憶すると共に上記一次利用端末に発行し、上記二次利用端末からの登録用パスワード入力と上記端末登録情報記憶部の上記登録用パスワードとを照合して、上記使用権引継ぎを登録する二次利用端末引継通知管理部、とを備えたコンテンツ使用権管理サーバと、
上記使用権引継ぎ通知を受けて登録用パスワードを上記コンテンツ使用権管理サーバに入力送信し、二次利用端末情報を上記コンテンツ使用権管理サーバに入力送信して登録依頼をする二次利用端末、とで構成されることを特徴とするコンテンツ二次利用管理システム。
【請求項５】
コンテンツ使用権を持つ一次利用端末からの二次利用端末への該使用権引継ぎ依頼を受付け後に、登録用パスワードと上記一次利用端末と二次利用端末の各識別子と対にして記憶するステップと、
上記一次利用端末を認証して上記使用権引継ぎを受付けるステップと、
上記二次利用端末からの登録用パスワード入力と上記端末登録情報記憶部の上記登録用パスワードとを照合するステップと、
上記使用権を端末登録情報として引継ぎ登録するステップ、とを備えたことを特徴とするコンテンツ使用権管理方法。
【発明の詳細な説明】
【技術分野】
【０００１】
この発明は、例えば文章や映像配信システムにおいて、ユーザがデジタルコンテンツをプロバイダより購入し、視聴ライセンスによって視聴を許された端末でのみ視聴できる構成で、複数の利用端末をライセンス権があるとして登録するサーバならびにシステムに関するものである。
【背景技術】
【０００２】
従来の視聴ライセンス登録の例を説明する。
図１１は、例えば非特許文献１に示された、ネットワークに接続された複数の端末を、それぞれライセンスの権利があるとして登録するようなサービス登録の一例を示す説明図である。この図において、センターにある登録サーバに、端末の所有者（ａ）が自身の端末の視聴ライセンスを登録する。
【０００３】
次にこの図を用いて登録動作を説明する。
一台目の端末Ａの所有者（ａ）は、一台目の端末登録時のＳＴ１０１において、所有者（ａ）の情報を登録するため、自らが持つ電子メールアドレスとパスワード９４を登録し、さらに一台目の端末の情報を登録サーバ９２に報告、登録する。
次に、二台目の端末Ｂの登録時には、先に入力した電子メールアドレスとパスワードをＳＴ１０２で入力し、登録サーバ９２がこれを登録時に記憶していた端末登録情報９３を参照して、二台目の端末Ｂも所有者（ａ）であることを確認する。そして二台目の端末Ｂと一台目の端末Ａを所有者（ａ）の関連のもとに端末登録情報９３に登録する。
上記の例では、登録は実は端末に相当するネットワークカメラからではなく、外部パーソナル・コンピュータから登録する構成となっている。
この構成は、メールアドレスを識別子（ＩＤ）として使用しているが、それ以上の目的には使用されていない。つまり積極的ライセンス登録のためのデータ伝達の手段としては使用していない。
【非特許文献１】実サービス「みえますねっと」監視用ネットワークカメラ：松下電器（株）、http://panasonic.biz/netsys/netwkcam/support/miemasnet/ddns.html
【発明の開示】
【発明が解決しようとする課題】
【０００４】
従来の技術は上記のように構成されており、同一所有者の複数端末であればライセンスの登録が可能である。しかし、特定の他人所有の端末を、自己が所有する端末と関連付けて登録サーバに登録することは不可能であるという課題がある。
【０００５】
この発明は上記のような課題を解決するためになされたもので、あらかじめ登録サーバに登録済みの自己が所有する一次利用端末から、他人が所有する端末の登録操作を開始し、新たに登録しようとしている端末の所有者にその端末の登録操作を引き継ぐことによって、他人が所有する二次利用端末を自己が所有する一次利用端末と関連付けて簡単に登録可能とすることを目的とする。
【課題を解決するための手段】
【０００６】
この発明に係るコンテンツ使用権管理サーバは、コンテンツ使用権を持つ一次利用端末からの二次利用端末への該使用権引継ぎ依頼を受付け後に、登録用パスワードと上記一次利用端末と二次利用端末の各識別子と対にして記憶する端末登録情報記憶部と、
上記一次利用端末を認証して上記使用権引継ぎを受付け、上記二次利用端末からの登録用パスワード入力と上記端末登録情報記憶部の上記登録用パスワードとを照合して、上記使用権引継ぎを登録する二次利用端末引継通知管理部、とを備えた。
【発明の効果】
【０００７】
この発明によるコンテンツ使用権管理サーバは上記のように構成されており、他人が所有する端末であっても、自身が所有する一次利用端末と関連付けて、二次利用端末として、容易に登録管理できる効果がる。
【発明を実施するための最良の形態】
【０００８】
実施の形態１．
近年、友人同士でコンテンツを二次利用したり、更にはコンテンツ・ディストリビュータを介してコンテンツ二次利用を図るシステムが検討されている。こうした場合に、一次利用のことばかりが問題にされており、二次利用または複数ユーザによるグループ登録については、あまり検討されていない。
以下、最初の一台の端末を一次利用端末、二台目の端末を二次利用端末として、コンテンツ二次利用を円滑に登録するシステムを説明する。
図１はこの発明の実施の形態１におけるコンテンツ二次利用システムの構成を示す図である。図において、登録（コンテンツ使用権管理）サーバ１は、ライセンスを与えた端末の端末登録情報記憶部６に（二次利用）端末登録情報テーブルを記憶しており、また二次利用端末４に対して引継ぎ通知を送信して二次利用端末の管理を行う二次利用端末通知管理部１６を備え、通信網２０を介して利用者端末としての一次利用端末（一台目の端末）２等と接続されている。図示はされていないが、ライセンスを得て登録用パスワードを得た一台目の端末利用者３は、その登録用パスワードを用いてコンテンツセンターから一次利用端末２にコンテンツをダウンロードして視聴をする。
二台目の端末の利用者５は、二次利用端末（二台目の端末）４を用いて一次利用端末でのライセンスを引継いで登録し、登録後は、同様なコンテンツ視聴を行なう。
【０００９】
図２は、本システムが行なう登録処理動作の例を示すフロー図である。図３は、登録サーバ１における端末登録情報記憶部６における端末登録情報テーブルのデータ例を示す図である。
次に動作について説明する。
登録サーバ１では、二台目の端末登録開始用のＷｅｂページを用意している。先ず一台目の端末２から通信網２０を介してそのＷｅｂページをアクセスする（ステップ００１、以降ＳＴと略記する）。以降、一台目の端末２、二台目の端末４から登録サーバ１に情報を報告するときには、通信網２０を介して報告する。
次に登録サーバ１は、一台目の端末所有者３であることを、一台目の端末所有者自身のユーザ名とパスワードの組み合わせ等によって認証し（ＳＴ００２）、正しければ端末所有者３からの入力受付けを続行する（ＳＴ００３）。次に一台目の端末所有者３は、二台目の端末を登録するための登録用パスワード、および登録しようとする二台目の端末４が持つ固有のＩＤを登録サーバ１に報告送信する（ＳＴ００４）。登録サーバ１ではその値を記憶する（ＳＴ００５）。
【００１０】
一方、一台目の端末所有者３は、二台目の端末所有者５に対して、登録用のパスワードを通知して、二台目の端末４が登録を行なえるよう、登録操作の引継ぎを行なう（ＳＴ００６）。
これを受けた二台目の端末所有者５は、登録サーバ１の端末登録用のＷｅｂページにアクセスして、登録用のパスワードと二台目の端末４が持つ固有のＩＤを入力する（ＳＴ００７）。この二台目の端末が二次利用端末であることを識別する固有情報として、その電話番号、端末の製造番号、あるいは次の実施の形態で説明するように、ＩＰアドレスまたはメールアドレス等を用いることが出来る。登録サーバ１の二次利用端末通知管理部１６は、この入力された固有の値が正しいか否かを、先に一台目の端末から送られた情報と照合して判定し（ＳＴ００８）、正しければ、二台目の端末４の登録操作を継続する。即ち二台目の端末の電話番号に対して、引継ぎ登録を受付ける通知を送信する。これを受信した二台目の端末所有者５は自身の情報を入力して、二台目の端末は、これを登録サーバに報告送信する（ＳＴ００９）。これを受けて登録サーバ１の二次利用端末通知管理部１６では、二台目の端末４を一台目の端末２の関連端末として登録する（ＳＴ０１０）。また二台目の端末４が登録されると、それ以降の二次利用端末の登録が受付けられなくなる。
【００１１】
図３に、端末登録情報テーブルの例を示した。二台目の端末登録用パスワード６１は、一台目の端末２に関連した固有の二台目端末ＩＤ６４情報が端末登録情報記憶部６のテーブルに格納されたときにＳＴ０１０で格納される。この情報は、二台目の端末４が登録完了となったとき以降、登録用パスワードの役目が終了したときに、端末登録情報記憶部６の端末登録情報テーブルから削除される。あるいは登録サーバ１から二台目の端末に引継ぎ登録受付けの通知が送られてから一定時間経過後に、登録用パスワードが無効になるか、未登録の端末登録情報テーブルが閉じられる。
なお、二台目の端末が持つ固有のＩＤとしては、センターと複数の端末で構成するネットワークにおける固有の名前を使うこともできる。
【００１２】
以上のように、一台目の端末と、一台目の端末から直接的に操作できない二台目の端末の連携登録操作によって、離れた位置にある他人所有の二台目の端末をライセンス登録することが可能となる。
なお、このライセンス取得後のコンテンツ視聴動作は、この発明とは直接関係なく、従来から知られた方法で行なうので、ここでは詳しい動作の説明を省略する。
【００１３】
実施の形態２．
先の実施の形態では一般の通信網での二次利用登録を説明したが、本実施の形態では、携帯電話通信網における、インターネット接続機能を備えた端末による登録の例を説明する。
図４は、本実施の形態におけるコンテンツ二次利用システムの構成を示す図である。図において、登録サーバ７は、ライセンスを与えた端末の端末登録情報を記憶しており、また二次利用端末４に対して引継ぎ通知を送信して二次利用端末の管理を行う二次利用端末通知管理部１７を備え、形態電話通信網２１を介して利用者端末としての一次利用端末８等と接続されている。図示はされていないが、ライセンスを得て登録用パスワードを得た一次利用端末の所有者９は、その登録用パスワードを用いてコンテンツセンターから一次利用端末８にコンテンツをダウンロードして視聴をする。
二次利用端末の所有者１１は、二次利用端末１０を用いて一次利用端末でのライセンスを引継いで登録し、登録後は、同様なコンテンツ視聴を行う。
【００１４】
図５は本実施の形態における登録処理の動作フローを示す図であり、図６は端末登録情報記憶部１３における端末登録情報テーブルのデータ例を示す図である。また図７は本登録サーバ７により登録された端末によるコンテンツ二次利用動作を説明する図である。
先の実施の形態においてコンテンツの視聴動作の説明を省略したが、ここで簡単にコンテンツの二次利用視聴動作のシステムについて説明する。
本実施の形態におけるコンテンツ二次利用の動作を説明する図７において、コンテンツセンターは、視聴ライセンスが許諾したユーザのみ視聴することができる音楽や映像の暗号化されたコンテンツデータを各利用端末に配信する。またコンテンツセンターには、視聴ライセンスを得た利用端末の登録情報をテーブルとして持つ登録サーバ７が含まれている。
【００１５】
ライセンスを得ている一次利用端末８からコンテンツのダウンロードの要求を行うと、コンテンツセンターから暗号化されたコンテンツが送付される（ＳＴ０３１）。一次利用端末８にてコンテンツを視聴したい場合には、ここで視聴ライセンスをコンテンツセンターに要求し、必要な視聴ライセンスとコンテンツ復号鍵を用いてコンテンツを視聴する。ここでは、一次利用端末８にてコンテンツを視聴する一次利用についての詳細な動作については省略する。
次に、一次利用端末８にてダウンロードしたコンテンツを、二次利用端末１０に移動して視聴するため、コンテンツをメモリカードにコピーする（ＳＴ０３２）。メモリカード内のコンテンツを二次利用端末１０で読み込んだ後、視聴するときにも、コンテンツを視聴するためのライセンスを二次利用端末１０よりコンテンツセンターに要求する（ＳＴ０３３）。要求を受けたコンテンツセンターでは、一次利用端末８にてコンテンツがダウンロードされたものであることを確認し、その関連端末である二次利用端末１０からの要求であるため、視聴ライセンスを発行すると判定する（ＳＴ０３４）。
【００１６】
二次利用端末１０から要求があった視聴ライセンス、ならびに暗号化されたコンテンツを復号するための復号鍵は、二次利用端末１０を登録する時に端末登録情報記憶部１３に登録した二次利用端末１０の公開鍵にて暗号化し、二次利用端末１０に送付する（ＳＴ０３５）。二次利用端末１０では、自身の秘密鍵を用いてコンテンツセンターにて暗号化されているライセンスならびに復号鍵を復号し（ＳＴ０３６）、復号後の復号鍵にてコンテンツを復号化する（ＳＴ０３７）。
このように、コンテンツを二次利用端末１０にてコンテンツを視聴できるようにするためには、二次利用端末１０が一次利用端末８の関連端末であること、ならびに二次利用端末特有の公開鍵をコンテンツセンター内で端末情報を登録する登録サーバに登録しておく必要がある。
【００１７】
次に図５を使って、本実施の形態における登録処理の動作について説明する。
登録サーバ７では、二次利用端末登録開始用のＷｅｂページを用意する。一次利用端末８は、携帯電話通信網２１を介して、登録サーバ７のこのＷｅｂページをアクセスする（ＳＴ０１１）。以降、一次利用端末８、二次利用端末１０から登録サーバ７に情報を報告するときには、携帯電話通信網２１を介してアクセスし、報告送信する。
次に登録サーバ７の二次利用端末通知管理部１７は、一次利用端末の所有者９であることを、入力送信された一次利用端末所有者自身のユーザ名とパスワードの組み合わせ等によって認証し（ＳＴ０１２）、正しければ一次利用端末所有者９からの入力受付けを続行する（ＳＴ０１３ＹＥＳ）。一次利用端末の所有者９は、次に二次利用端末の登録に必要な登録用パスワード、および登録しようとする二次利用端末１０の電話番号ならびにメールアドレスを登録サーバ７に報告送信する（ＳＴ０１４）。登録サーバ７は、その値を記憶し（ＳＴ０１５）、更に二次利用端末通知管理部１７は、電子メールを用いて記憶した二次利用端末１０のメールアドレス宛に、端末登録作業を引継ぐことと、パスワードを二次利用端末の所有者１１に対して通知する（ＳＴ０１６）。
【００１８】
これを受けた二次利用端末の所有者１１は、登録サーバ７の端末登録用のＷｅｂページにアクセスして、登録用のパスワードと二次利用端末１０の電話番号を入力する（ＳＴ０１７）。登録サーバ７の二次利用端末通知管理部１７では、この入力した値が正しいか否かを判定し（ＳＴ０１８）、正しければ、二次利用端末１０の登録操作を継続し、二次利用端末通知管理部１７は登録用プログラムを二次利用端末１０に向けてダウンロード用に送信する。
二次利用端末１０は、入力された二次利用端末所有者１１の情報を登録サーバに報告送信する（ＳＴ０１９）。また、二次利用端末１０が登録サーバ７から登録用プログラムをダウンロードすると、この登録用プログラムが起動して、二次利用端末の電話番号および公開鍵が収集され、登録サーバ７に報告送信する（ＳＴ０２０）。これを受けて登録サーバ７の二次利用端末通知管理部１７は、二次利用端末１０を一次利用端末８の関連端末として登録する（ＳＴ０２１）。
【００１９】
図６に、本実施の形態における端末登録情報記憶部１３における端末登録情報テーブルのデータ例を示す。端末登録情報記憶部１３に、二次利用端末１０の公開鍵も登録されており、コンテンツセンターは、この公開鍵を用いて図７のＳＴ０３５で説明した暗号化送信を行なう。
ここで、二次利用端末登録用パスワードは、一次利用端末８に関連した二次利用端末として電話番号が端末登録情報テーブルに格納されるＳＴ０２１で格納され、二次利用端末１０が登録完了となったときなど、登録用パスワードの役目が終了したときには、端末登録情報テーブルから削除される。
【００２０】
以上のように、携帯電話端末を使用したコンテンツ二次利用システムにおいて、一次利用端末８と、一次利用端末８から直接的に操作できない二次利用端末１０との連携操作によって、一次利用端末と二次利用端末は関連があるとして登録することが簡単な操作により可能となる。
【００２１】
実施の形態３．
先の各実施の形態では、二次利用端末は１つであるとして説明したが、本実施の形態では、コンテンツセンターとの契約で最大ｎ個の二次利用端末がコンテンツの視聴を許されている場合を説明する。
図８は、本実施の形態において登録サーバ７ｂが管理する端末登録情報記憶部１４におけるデータ例を示す図である。
コンテンツ二次利用の動作は、先の実施の形態２における図７による動作と同様の動作をする。即ち各二次利用端末が、それぞれ異なる公開鍵を持ち、それらを端末登録情報記憶部１４に登録している。ある二次利用端末からコンテンツセンターにＳＴ０３３で視聴ライセンス要求があると、正しい権利要求であればＳＴ０３５で、対応する公開鍵を用いて暗号化した復号鍵を送信する。
また二次利用端末の登録処理の動作は、図５による動作と同様である。即ち登録サーバ７ｂから引継ぎ通知を受けた二次利用端末は、ＳＴ０１７で登録用パスワードと端末の電話番号を入力し、ＳＴ０２０で二次利用端末登録用プログラムが二次利用端末情報を報告送信する。この内容が図８の端末登録情報記憶部１４に記憶される。
【００２２】
図９は、本実施の形態における他の一次利用端末８が持つ、管理用の二次利用端末情報テーブル８１の例を示す図である。また図１０は、本実施の形態における他の登録処理の動作フローを示す図である。
図１０において、登録サーバ７が二次利用端末登録開始用のＷｅｂページを用意し、これに向けて一次利用端末８がＷｅｂページをアクセスし（ＳＴ０４１）、二次利用端末通知管理部１７が一次利用端末の所有者９を認証し（ＳＴ０４２）、正しければ一次利用端末所有者９からの入力受付けを続行（ＳＴ０４３ＹＥＳ）し、一次利用端末８からの登録用パスワードならびに二次利用端末１０の電話番号とメールアドレスの報告送信（ＳＴ０４４）を二次利用端末通知管理部１７が記憶する（ＳＴ０１５）までは図５の動作と同等の動作を行う。
ここで一次利用端末８は、各に二次利用端末１０に登録用パスワードを送信する。
【００２３】
通知を受けた二次利用端末１０から、登録サーバ７の二次利用端末登録開始用のＷｅｂページにアクセスし、必要な情報を入力する（ＳＴ０５１）。この入力を受けた登録サーバ７の二次利用端末通知管理部１７は、入力された値が正しいか否かを判定し（ＳＴ０５２）、正しければ、一次利用端末８に電話番号とメールアドレスを確認用に送信する（ＳＴ０５３）。二次利用端末通知管理部１７は、一次利用端末８から正規の二次利用端末であるとの確認を受信する（ＳＴ０５５）と、二次利用端末１０のメールアドレス宛に、端末登録作業を引継ぐことの情報と、パスワードを二次利用端末１０に対して通知する（ＳＴ０５６）。
これを受けた二次利用端末１０は、登録サーバ７からダウンロードされた登録用プログラムを起動実行して、二次利用端末の電話番号および公開鍵を収集し、二次利用端末所有者１１の情報と共にて登録サーバ７に報告送信する（ＳＴ０５７）。これを受けて登録サーバ７の二次利用端末通知管理部１７は、二次利用端末１０を一次利用端末８の関連端末として登録する（ＳＴ０５８）。
【図面の簡単な説明】
【００２４】
【図１】この発明の実施の形態１におけるコンテンツ二次利用システムの構成を示す図である。
【図２】実施の形態１における登録処理動作の例を示すフロー図である。
【図３】実施の形態１における端末登録情報記憶部６中の端末登録情報テーブルのデータ例を示す図である。
【図４】この発明の実施の形態２におけるコンテンツ二次利用システムの構成を示す図である。
【図５】実施の形態２における登録処理の動作フローを示す図である。
【図６】実施の形態２における端末登録情報記憶部１３中の端末登録情報テーブルのデータ例を示す図である。
【図７】登録された端末によるコンテンツ二次利用動作を説明する図である。
【図８】実施の形態３における登録サーバ７ｂが管理する端末登録情報記憶部１４中のデータ例を示す図である。
【図９】実施の形態３における他の一次利用端末８中の、管理用の二次利用端末情報テーブル８１の例を示す図である。
【図１０】実施の形態３における他の登録処理の動作フローを示す図である。
【図１１】従来の複数の端末がライセンス権利登録を行う場合の動作説明図である。
【符号の説明】
【００２５】
１  登録サーバ、２  一次利用端末、４  二次利用端末、６  端末登録情報記憶部、７  登録サーバ、８  一次利用端末、１０  二次利用端末、１３  端末登録情報記憶部、１６  二次利用端末通知管理部、１７  二次利用端末通知管理部、２０  通信網、２１  携帯電話通信網、３１  メモリカード、６１  登録用パスワード、６２  一台目端末ＩＤ、６３  一台目端末所有者情報、６４  二台目端末ＩＤ、６５  二台目端末所有者情報、８１  二次利用端末情報テーブル、１３１  登録用パスワード、１３２  一次利用端末電話番号、１３３  一次利用端末所有者情報、１３４  一次利用端末メールアドレス、１３５  一次利用端末端末公開鍵、１３６  二次利用端末電話番号、１３７  二次利用端末所有者情報、１３８  二次利用端末メールアドレス、１３９  二次利用端末端末公開鍵、１４１  登録用パスワード、１４２  一次利用端末電話番号、１４３  一次利用端末所有者情報、１４４  一次利用端末メールアドレス、１４５  一次利用端末端末公開鍵、１４６  二次利用端末１電話番号、１４７  二次利用端末１所有者情報、１４８  二次利用端末１メールアドレス、１４９  二次利用端末１端末公開鍵、１５６  二次利用端末ｎ電話番号、１５７  二次利用端末ｎ所有者情報、１５８  二次利用端末ｎメールアドレス、１５９  二次利用端末ｎ端末公開鍵、８１１  コンテンツ名、８１２  二次利用端末１電話番号、８１３  二次利用端末１所有者情報、８１４  二次利用端末２電話番号、８１５  二次利用端末２所有者情報、８１６  二次利用端末ｎ電話番号、８１７  二次利用端末ｎ所有者情報。
【図１】
2006085403.tif 000003
【図２】
2006085403.tif 000004
【図３】
2006085403.tif 000005
【図４】
2006085403.tif 000006
【図５】
2006085403.tif 000007
【図６】
2006085403.tif 000008
【図７】
2006085403.tif 000009
【図８】
2006085403.tif 000010
【図９】
2006085403.tif 000011
【図１０】
2006085403.tif 000012
【図１１】
2006085403.tif 000013